(57)【要約】【課題】天板に設けた電装部品と筐体に設けた制御基板との電気的な接続を容易に行うことができる加熱調理器を提供する。【解決手段】天板に設けた電装基板および複数のセンサと、筐体２の制御基板とを接続するハーネス４４，４５は、天板の左側部且つ前部から天板の外部に引き出される。ハーネス４４，４５は筐体２の左壁部２１の上部に沿って後方へ誘導される。筐体２の後壁部２４の左端部には、制御基板からのケーブルに接続するコネクタ５１〜５４を固定するコネクタ固定部５０が設けられる。コネクタ固定部５０は、コネクタ５１〜５４の差込口５５を、前斜め上方へ向ける。筐体２の正面側でハーネス４４，４５の接続作業を行う作業者は、前斜め上方からコネクタ５１〜５４に正対する。故に作業者は、ハーネス４４，４５の端部に設けたコネクタ６１〜６４と、筐体２のコネクタ５１〜５４との接続作業を行いやすい。【選択図】図３
2020197326.tif 000002
【特許請求の範囲】
【請求項１】
バーナの燃焼を制御する制御回路を備える制御基板と、
上部が開口し、前記制御基板が内部に設けられる筐体と、
前記筐体の前記上部に設けられ、前記開口を閉塞する天板と、
前記天板の下面側に設けられ、前記制御基板との電気的な接続を担うハーネスが延びる電装部品と、
前記制御基板と電気的に接続し、且つ前記ハーネスが接続される一または複数のコネクタと
を備える加熱調理器において、
前記筐体内に設けられ、前記コネクタを固定するコネクタ固定部を備え、
前記ハーネスは、前記天板の左右方向の一方側にて前記電装部品から引き出され、
前記コネクタ固定部は、前記筐体の左右方向の一方側且つ前記筐体の背面に設けられたこと
を特徴とする加熱調理器。
【請求項２】
前記コネクタ固定部は、前記筐体の前記背面にて、前記コネクタに前記ハーネスを差し込む差込口を前方斜め上方へ向けた状態で前記コネクタを固定すること
を特徴とする請求項１に記載の加熱調理器。
【請求項３】
前記ハーネスは、前記天板の左右方向の一方側且つ前後方向の前側にて前記電装部品から引き出され、
前記筐体は、左右方向の一方側の側面に、前後方向に沿って、前記ハーネスを保持する複数の保持部を設けたこと
を特徴とする請求項１または２に記載の加熱調理器。
【請求項４】
前記保持部は、
前記筐体に固定する基部と、
前記基部から延びる第一延伸部と、
前記基部から前記ハーネスの太さ分の間隔を空けて前記第一延伸部と平行に延びる第二延伸部と、
前記第一延伸部の側面から前記第二延伸部へ向けて突出し、且つ前記第一延伸部に沿って並ぶ複数の第一突部と、
前記第二延伸部の側面から前記第一延伸部へ向けて突出し、且つ前記第二延伸部に沿って並ぶ複数の第二突部と
を有することを特徴とする請求項３に記載の加熱調理器。
【請求項５】
前記保持部は、
前記筐体に固定する基部と、
前記基部に固定され、前記ハーネスの太さよりも大きい環の一部を構成する第一環部と、
一端部が前記第一環部の一端部に接続し、他端部側が前記第一環部の他端部に対して接離可能に設けられ、前記ハーネスの太さよりも大きい環の一部を構成する第二環部と
前記第一環部の他端部と、前記第二環部の他端部とのそれぞれに設け、互いが接触する場合に係合し、且つ前記第二環部に外力が加わり湾曲する場合に非係合状態となる係合部と
を有することを特徴とする請求項３に記載の加熱調理器。
【請求項６】
前記保持部は、
前記筐体に固定する基部と、
前記基部に固定され、前記ハーネスの太さよりも大きい環を形成しつつ、一端部と他端部とが環の軸方向に離間した状態にて配置される環状部と
を有することを特徴とする請求項３に記載の加熱調理器。
【請求項７】
前記天板は、左右方向一方側の端部に、前記筐体の左右方向一方側の上部に前記天板を掛け留めるフックを備え、
前記天板の左右方向他方側の側部を一方側の側部に対して上側にした状態で前記フックを前記筐体に掛け留めた場合、前記フックは、前記天板の左右方向一方側の側部が前記筐体の上端よりも上方に位置した状態にして前記天板を支持すること
を特徴とする請求項１から６のいずれかに記載の加熱調理器。
【発明の詳細な説明】
【技術分野】
【０００１】
本発明は加熱調理器に関する。
【背景技術】
【０００２】
トッププレートの表面に操作部と表示部を設けた加熱調理器が知られている（例えば特許文献１参照）。操作部と表示部を制御する制御回路部はホルダーに保持され、トッププレートの裏面に固定される。制御回路部は、筐体内に設けられるメイン回路部にリード線により接続される。このような加熱調理器をキッチンのキャビネットに組み付ける場合、キャビネットに筐体を設置した後、トッププレートを取り付ける前に、制御回路部とメイン回路部とをリード線によって接続し、その後、トッププレートを筐体に固定する作業が行われる。
【先行技術文献】
【特許文献】
【０００３】
【特許文献１】特許第４８９３２０８号公報
【発明の概要】
【発明が解決しようとする課題】
【０００４】
しかしながら、設置作業において、作業者が一人だったり、作業場所に十分な大きさが確保できなかったりする場合がある。この場合に作業者は、例えばトッププレートを片手で支持しながら、もう一方の手で制御回路部とメイン回路部とをリード線によって接続しなければならず、接続作業に時間や手間がかかっていた。
【０００５】
本発明の目的は、天板に設けた電装部品と筐体に設けた制御基板との電気的な接続を容易に行うことができる加熱調理器を提供することである。
【課題を解決するための手段】
【０００６】
本発明の請求項１に係る発明の加熱調理器は、バーナの燃焼を制御する制御回路を備える制御基板と、上部が開口し、前記制御基板が内部に設けられる筐体と、前記筐体の前記上部に設けられ、前記開口を閉塞する天板と、前記天板の下面側に設けられ、前記制御基板との電気的な接続を担うハーネスが延びる電装部品と、前記制御基板と電気的に接続し、且つ前記ハーネスが接続される一または複数のコネクタとを備える加熱調理器において、前記筐体内に設けられ、前記コネクタを固定するコネクタ固定部を備え、前記ハーネスは、前記天板の左右方向の一方側にて前記電装部品から引き出され、前記コネクタ固定部は、前記筐体の左右方向の一方側且つ前記筐体の背面に設けられたことを特徴とする。
【０００７】
請求項２に係る発明の加熱調理器は、請求項１に記載の発明の構成に加え、前記コネクタ固定部は、前記筐体の前記背面にて、前記コネクタに前記ハーネスを差し込む差込口を前方斜め上方へ向けた状態で前記コネクタを固定することを特徴とする。
【０００８】
請求項３に係る発明の加熱調理器は、請求項１または２に記載の発明の構成に加え、前記ハーネスは、前記天板の左右方向の一方側且つ前後方向の前側にて前記電装部品から引き出され、前記筐体は、左右方向の一方側の側面に、前後方向に沿って、前記ハーネスを保持する複数の保持部を設けたことを特徴とする。
【０００９】
請求項４に係る発明の加熱調理器は、請求項３に記載の発明の構成に加え、前記保持部は、前記筐体に固定する基部と、前記基部から延びる第一延伸部と、前記基部から前記ハーネスの太さ分の間隔を空けて前記第一延伸部と平行に延びる第二延伸部と、前記第一延伸部の側面から前記第二延伸部へ向けて突出し、且つ前記第一延伸部に沿って並ぶ複数の第一突部と、前記第二延伸部の側面から前記第一延伸部へ向けて突出し、且つ前記第二延伸部に沿って並ぶ複数の第二突部とを有することを特徴とする。
【００１０】
請求項５に係る発明の加熱調理器は、請求項３に記載の発明の構成に加え、前記保持部は、前記筐体に固定する基部と、前記基部に固定され、前記ハーネスの太さよりも大きい環の一部を構成する第一環部と、一端部が前記第一環部の一端部に接続し、他端部側が前記第一環部の他端部に対して接離可能に設けられ、前記ハーネスの太さよりも大きい環の一部を構成する第二環部と前記第一環部の他端部と、前記第二環部の他端部とのそれぞれに設け、互いが接触する場合に係合し、且つ前記第二環部に外力が加わり湾曲する場合に非係合状態となる係合部とを有することを特徴とする。
【００１１】
請求項６に係る発明の加熱調理器は、請求項３に記載の発明の構成に加え、前記保持部は、前記筐体に固定する基部と、前記基部に固定され、前記ハーネスの太さよりも大きい環を形成しつつ、一端部と他端部とが環の軸方向に離間した状態にて配置される環状部とを有することを特徴とする。
【００１２】
請求項７に係る発明の加熱調理器は、請求項１から６のいずれかに記載の発明の構成に加え、前記天板は、左右方向一方側の端部に、前記筐体の左右方向一方側の上部に前記天板を掛け留めるフックを備え、前記天板の左右方向他方側の側部を一方側の側部に対して上側にした状態で前記フックを前記筐体に掛け留めた場合、前記フックは、前記天板の左右方向一方側の側部が前記筐体の上端よりも上方に位置した状態にして前記天板を支持することを特徴とする。
【発明の効果】
【００１３】
本発明の請求項１に係る発明の加熱調理器によれば、ハーネスが接続されるコネクタはコネクタ固定部に固定されており、筐体内で浮いた状態にない。そしてコネクタ固定部は、筐体内部の背面に設けられるので、筐体の正面側から作業を行う作業者に対して正対する位置にある。故に作業者は、仮に天板を片手で支持した状態であっても、もう一方の手でハーネスを容易にコネクタに接続することができる。
【００１４】
請求項２に係る発明の加熱調理器によれば、請求項１に記載の発明の効果に加え、筐体の正面側から加熱調理器の設置作業を行う作業者は、筐体の斜め上方から筐体内を見下ろすように作業を行う。コネクタ固定部は、コネクタの差込口を前方斜め上方へ向けてコネクタを固定する。故に作業者は、コネクタの差込口を見やすく、ハーネスを接続する作業を容易に行うことができる。
【００１５】
請求項３に係る発明の加熱調理器によれば、請求項１または２に記載の発明の効果に加え、ハーネスは、保持部によって筐体の側面に保持される。故に天板が筐体に固定されるとき、筐体と天板の間にハーネスが挟み込まれることがなく、また、筐体内でハーネスが他の部品に接触して摩耗等の不具合を生ずることもない。
【００１６】
請求項４に係る発明の加熱調理器によれば、請求項３に記載の発明の効果に加え、保持部は、第一延伸部と第二延伸部の間にハーネスを挟んで保持することができる。故に作業者は、仮に天板を片手で支持した状態であっても、もう一方の手でハーネスを容易に保持部に保持させる作業を行うことができる。
【００１７】
請求項５に係る発明の加熱調理器によれば、請求項３に記載の発明の効果に加え、保持部は、第二環部の他端部を第一環部の他端部に近づけ、係合部によって係合させるだけで、ハーネスの太さよりも大きい環を構成することができる。故に作業者は、仮に天板を片手で支持した状態であっても、もう一方の手でハーネスを第一環部と第二環部の中に配置しつつ第一環部と第二環部を係合させて、ハーネスを保持部に保持させる作業を容易に行うことができる。
【００１８】
請求項６に係る発明の加熱調理器によれば、請求項３に記載の発明の効果に加え、保持部は、環状部内にハーネスを保持することができる。故に作業者は、仮に天板を片手で支持した状態であっても、もう一方の手でハーネスを環状部の一端部と他端部の間を通して環状部内に入れることで、ハーネスを保持部に保持させる作業を容易に行うことができる。
【００１９】
請求項７に係る発明の加熱調理器によれば、請求項１から６のいずれかに記載の発明の効果に加え、フックは、天板の側部を筐体の上端よりも上方に配置した状態で天板を支持することができる。故に作業者は、仮に天板を片手で支持した状態で、もう一方の手でハーネスをコネクタに接続する作業を行っても、加熱調理器が設置されるカウンタ等を天板の側部で傷つけることがない。
【００２０】
なお、本発明は、請求項１から７のそれぞれの発明特定事項を任意に組み合わせてもよい。
【図面の簡単な説明】
【００２１】
【図１】コンロ１の斜視図である。
【図２】キッチンカウンタに筐体２を設置したコンロ１の斜視図である。
【図３】図２の二点鎖線Ａ内を拡大した筐体２の斜視図である。
【図４】図３のＩ−Ｉ線で矢視方向に見た筐体２の断面図である。
【図５】クランプ７０の斜視図である。
【図６】クランプ１７０の斜視図である。
【図７】クランプ２７０の斜視図である。
【図８】フック３００の使用例を示す図である。
【発明を実施するための形態】
【００２２】
以下、本発明の実施形態を説明する。以下に記載される装置の構造は、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００２３】
図面を参照し、コンロ１の構造を説明する。図１、図２に示すように、コンロ１は、ビルトインコンロである。コンロ１は、筐体２と天板３を備える。筐体２は上部に開口部２Ａを有する箱形状である。筐体２内には、左バーナ４、右バーナ５、グリル庫１０、制御基板２７、コネクタ５１〜５４等が収容される（図２参照）。筐体２内の詳細については後述する。天板３はガラス製である。天板３は筐体２の上側に載置され、開口部２Ａを閉塞する。天板３の上面左側には左バーナ４、上面右側には右バーナ５、上面後側にはグリル用の排気口７がそれぞれ設けられる。天板３の下面には、一部透過性を有する非透過性の印刷が施される。
【００２４】
天板３上において、左バーナ４の前側には、左バーナ４を操作する為の左操作部１１が設けられ、右バーナ５の前側には、右バーナ５を操作する為の右操作部１２が設けられる。左操作部１１、右操作部１２には、左バーナ４、右バーナ５の点火、消火、および火力の増減等の操作を指先のタッチで受け付ける複数の受付部と、タイマ時間等を表示する表示部と、使用状態に応じて点灯、または点滅する発光表示部等が設けられる。左バーナ４と右バーナ５に挟まれる中央部の前側には、グリル用発光表示部１３が設けられる。グリル用発光表示部１３には、グリル使用中に点灯する表示部が設けられる。左操作部１１、右操作部１２、およびグリル用発光表示部１３において、受付部は、ユーザによるタッチ操作の位置を示すために天板３に印刷されたボタン、マークまたは記号等である。
【００２５】
左操作部１１の後側には、平面視略円弧状のセンサ用窓部１５が設けられ、右操作部１２の後側には、平面視略円弧状のセンサ用窓部１６が設けられ、グリル用発光表示部１３の後側には、平面視略矩形状のセンサ用窓部１７が設けられる。センサ用窓部１５〜１７の下方には、複数（例えば９個）のセンサ２８が並んで配置される。センサ２８は、上方に位置する異物までの距離を測定可能な一般的な測距センサであり、例えば赤外線センサである。複数のセンサ２８のそれぞれには、ハーネス４５の一端部が接続される。ハーネス４５はセンサケース４０内で束ねられ、センサケース４０の左端部に設けられた開口部（図示略）から外部に出されて、天板３の左側部３Ｌの前方から天板３の外部に引き出される。ハーネス４５の他端部にはメス型のコネクタ６４が設けられる（図３参照）。コネクタ６４は、筐体２内に設けられたオス型のコネクタ５４（図３参照）に接続される。ハーネス４５は、複数のセンサ２８と、筐体２内に設けられる制御基板２７とを電気的に接続する。
【００２６】
天板３下面の前側部には、上面に設けられた左操作部１１および右操作部１２に対応するように、電装基板２９が接着剤または両面テープ等で貼着される。電装基板２９の上面には、複数のＬＥＤ、近接センサ等が実装される。複数のＬＥＤは、左操作部１１、右操作部１２およびグリル用発光表示部１３の表示を担う。近接センサは、左操作部１１および右操作部１２に対する操作を受け付ける。電装基板２９下面の左右方向中央にはオス型のコネクタ（図示略）が実装され、ハーネス４４（図２参照）の一端部に設けられたメス型コネクタ（図示略）が接続される。ハーネス４４は、センサケース４０の下面側に設けられたクリップ（図示略）に保持され、天板３の左側部３Ｌの前方から天板３の外部に引き出される。ハーネス４４は他端側で３つに分岐され、端部にメス型のコネクタ６１〜６３が設けられる（図３参照）。コネクタ６１〜６３はそれぞれ、筐体２内に設けられたオス型のコネクタ５１〜５３（図３参照）に接続される。ハーネス４４は、電装基板２９と、筐体２内に設けられる制御基板２７とを電気的に接続する。
【００２７】
電装基板２９と、複数のセンサ２８を下方から内包するように、天板３の下面側にセンサケース４０が設けられる。センサケース４０は左右方向に延びる筒状のケース体である。センサケース４０の左右両端部には、下方へ向けて筒状に延び、センサケース４０内に空気を取り入れる左筒部４１および右筒部４２が設けられる。センサケース４０の中央部には、下方へ向けて筒状に延び、センサケース４０内の空気を排出する中筒部４３が設けられる。センサケース４０は、左筒部４１および右筒部４２から流入して中筒部４３から排出される冷却空気の流路を形成する。
【００２８】
筐体２の左壁部２１、右壁部２２、前壁部２３、後壁部２４のそれぞれの上端部は、矩形状の開口部２Ａを形成する。筐体２の内側上部において、左壁部２１と右壁部２２との間には、左右方向に延びる細長板状の梁部材４６、４７が架設される。梁部材４６、４７のそれぞれの左右方向略中央部の間に、梁部材４８が架設される。梁部材４６、４７は、左バーナ４および右バーナ５を筐体２内で支持する。グリル庫１０は、梁部材４６〜４８よりも下方の位置で、筐体２内の左右方向の略中央部に設置される。
【００２９】
筐体２の内部であって、左壁部２１近傍且つ梁部材４６、４７の下側に、制御基板２７が固定されている。制御基板２７には、ＣＰＵ等を含む制御回路が実装されている。制御基板２７の制御回路は、電装基板２９の複数のＬＥＤの発光制御、電装基板２９の近接センサを介したユーザのタッチ操作検出、複数のセンサ２８を介した異物検知等の制御を行う。また、制御基板２７の制御回路は、左バーナ４および右バーナ５に供給されるガス量を調整することによって、左バーナ４および右バーナ５の燃焼を制御する。
【００３０】
図３に示すように、筐体２の内部で後壁部２４の左端部には、コネクタ固定部５０が設けられる。コネクタ固定部５０には、４つのオス型のコネクタ５１〜５４が固定される。コネクタ５１〜５４は、ケーブル（図示略）を介して制御基板２７の制御回路と電気的に接続する。コネクタ５１〜５３には、天板３の電装基板２９から延びるハーネス４４のコネクタ６１〜６３を接続可能である。コネクタ５４には、天板３の複数のセンサ２８から延びるハーネス４５のコネクタ６４を接続可能である。
【００３１】
図３、図４に示すように、筐体２の後壁部２４は、後方に傾斜する。コネクタ固定部５０は、板状体を折り曲げて台状に形成され、前斜め上方に突出するように後壁部２４に固定される。コネクタ固定部５０の前面５０Ａは、後壁部２４の前面と平行に設けられる。コネクタ５１〜５４は、前面５０Ａに形成された開口に嵌め込まれ、コネクタ固定部５０に固定される。コネクタ５１〜５４にコネクタ６１〜６４を差し込む差込口５５は、前斜め上方を向く。
【００３２】
図３に示すように、筐体２の内部で左壁部２１の右側面上部には、前後方向の２個所に右方へ向けて隆起する隆起部２１Ａ，２１Ｂが形成される。隆起部２１Ａ，２１Ｂのそれぞれには、ハーネス４４，４５を保持するためのクランプ７０が前後方向に沿って固定される。図５に示すように、クランプ７０は可撓性を有する樹脂製であり、基部７１、第一環部７２、第二環部７３を有する。基部７１は、クランプ７０を隆起部２１Ａ，２１Ｂに固定する部位であり、抜け防止の鍔部（図示略）を有し、隆起部２１Ａ，２１Ｂに差し込むピン形状を呈する。第一環部７２は正面視略コの字形状を呈し、上下に延びる中間部が基部７１に接続し、中間部の上端および下端から、上端部と下端部がそれぞれ右方に延びる。第二環部７３は正面視略Ｌ時形状を呈し、長く延びる側の端部が支持端として、第一環部７２の下端部の先端に接続する。第一環部７２と第二環部７３の接続部分７０Ａは曲げ伸ばし可能であり、第二環部７３の短く延びる側の端部を揺動端として揺動可能に支持する。第一環部７２の上端部の先端と、第二環部７３の揺動端には、それぞれ、互いに係合可能な係合部７２Ａ，７３Ａが形成される。係合部７２Ａ，７３Ａはかぎ爪形状であり、第二環部７３の係合部７３Ａを第一環部７２の係合部７２Ａに近づけて、片手で嵌め込むことができる。係合部７２Ａと係合部７３Ａとが係合状態において、第一環部７２と第二環部７３は、ハーネス４４，４５の太さよりも大きく、ハーネス４４，４５を挿通可能な環を形成する。係合部７２Ａ，７３Ａの係合は、第一環部７２の上端部を環の内側へ押し込んで撓ませることで、解除することができる。
【００３３】
次に、図１、図２に示すように、筐体２の前面の中央部には、グリル扉８が手前側に引き出し可能に設けられる。グリル扉８は、筐体２内部に設けられるグリル庫１０の前側の開口を開閉する。グリル庫１０内には、グリルバーナ（図示略）が設けられる。筐体２の前面において、グリル扉８の左側の上下には、化粧板６Ａ、６Ｂが取り付けられ、右側の上下には、化粧板６Ｃ、６Ｄが取り付けられる。
【００３４】
筐体２の前面から化粧板６Ａ〜６Ｄを取り外すと、左フロントパネル３０および右フロントパネル３５（図２参照）の前面が露出する。左フロントパネル３０および右フロントパネル３５は、それぞれ筐体２の前面に固定される。左フロントパネル３０の前面中央部には、電池ケース（図示略）が設けられる。右フロントパネル３５の前面上部には、電源スイッチ１９が設けられる。化粧板６Ｃの前面上部には開口１８が設けられ、開口１８から電源スイッチ１９が前方に突出する。右フロントパネル３５の前面下部には、グリルバーナを操作する為のグリル操作部（図示略）が設けられる。グリル操作部は、右フロントパネル３５の前面下部に回動可能に支持される。左フロントパネル３０および右フロントパネル３５の前面下部には、それぞれ空気入口３１，３６が設けられる。空気入口３１，３６は、外部の空気を内側に取り入れる。
【００３５】
左フロントパネル３０および右フロントパネル３５には、それぞれの空気入口３１，３６との間に亘って上下方向に延びる略筒状のダクト部（図示略）が設けられる。ダクト部内には冷却ファン（図示略）が取り付けられる。天板３が筐体２に組み付けられたとき、センサケース４０の左筒部４１および右筒部４２は、ダクト部に接続する。冷却ファンによって空気入口３１，３６に取り込まれた冷却空気は、ダクト部３２を介してセンサケース４０に供給される。センサケース４０に供給された冷却空気は、センサケース４０内の電装基板２９および複数のセンサ２８を冷却する。
【００３６】
天板３が筐体２に組み付けられたとき、中筒部４３は、筐体２内の空気流路（図示略）に接続される。該空気流路は、グリル庫１０の上方を通って後方へ延び、接続口１０Ａにおいて天板３の排気口７に接続する。
【００３７】
次に、コンロ１をキッチンカウンタに設置する作業について説明する。図２に示すように、作業者は、天板３が取り外された状態の筐体２を、キッチンカウンタに固定する。次に作業者は、キッチンカウンタの上面のうち筐体２に対して左側に、天板３を配置する。このとき、例えば筐体２に対して左側のスペースが壁面などで制約がある場合、天板３を上下反転させた状態でキッチンカウンタの上面に載置できない。このような場合、作業者は、天板３の右側部３Ｒを左側部３Ｌに対して上側にして起立させる。天板３の左側部３Ｌは、キャビネットの上面に載置される。作業者は、天板３が起立した状態で倒れないように、左手で天板３を支持する。
【００３８】
作業者は、天板３の左側部３Ｌの前方から引き出されたハーネス４４，４５を右手で掴み、筐体２内の左壁部２１近傍に沿って後方に誘導する。筐体２内の左後部に設けられたコネクタ固定部５０は、コネクタ５１〜５４それぞれの差込口５５を前斜め上方へ向けた状態でコネクタ５１〜５４を固定する。作業者は、筐体２の正面側から作業を行うので、コネクタ固定部５０に正対する。故に作業者は、コネクタ５１〜５４の差込口５５を視認しやすく、大きさ、形状がそれぞれ異なるハーネス４４，４５のコネクタ６１〜６４と筐体２のコネクタ５１〜５４との組合せを容易に確認できる。作業者は右手でコネクタ６１〜６４を一つずつ掴み、コネクタ固定部５０のコネクタ５１〜５４の差込口５５に差し込んで接続する。これにより、ハーネス４４を介して電装基板２９が制御基板２７に電気的に接続され、ハーネス４５を介して複数のセンサ２８が制御基板２７に電気的に接続される。
【００３９】
次に作業者は、筐体２内の左壁部２１に沿うハーネス４４，４５を右手で掴み、クランプ７０の第一環部７２の内側に配置する。なお、クランプ７０は、コンロ１の出荷時には環が開いた状態にあるが、仮に環が閉じた状態であった場合、第一環部７２の上端部を撓ませ、環を開いた状態にする作業を片手で行うことができる。作業者は、第二環部７３を起こし、係合部７３Ａを第一環部７２の係合部７２Ａに係合させて環を閉じ、ハーネス４４，４５を環内に保持する。これにより、ハーネス４４，４５は、筐体２内での左壁部２１の上部に沿って、前方から後方へ延びた状態で保持される。
【００４０】
作業者は、天板３を筐体２側に倒し、筐体２の開口部２Ａを天板３により覆う。このとき、センサケース４０の左筒部４１は、左フロントパネル３０のダクト部に接続され、センサケース４０の右筒部４２は、右フロントパネル３５のダクト部に接続される。また、センサケース４０の中筒部４３は、筐体２内の空気流路の接続口１０Ａに接続される。ねじ等の固定部材により天板３が筐体２に固定され、コンロ１の設置は完了する。
【００４１】
以上説明したように、ハーネス４４，４５のコネクタ６１〜６４が接続される筐体２のコネクタ５１〜５４はコネクタ固定部５０に固定されており、筐体２内で浮いた状態にない。そしてコネクタ固定部５０は、筐体２内部の後壁部２４に設けられるので、筐体２の正面側から作業を行う作業者に対して正対する位置にある。故に作業者は、仮に天板３を片手で支持した状態であっても、もう一方の手でハーネス４４，４５のコネクタ６１〜６４を容易に筐体２のコネクタ５１〜５４に接続することができる。
【００４２】
筐体２の正面側からコンロ１の設置作業を行う作業者は、筐体２の斜め上方から筐体２内を見下ろすように作業を行う。コネクタ固定部５０は、コネクタ５１〜５４の差込口５５を前方斜め上方へ向けてコネクタ５１〜５４を固定する。故に作業者は、コネクタ５１〜５４の差込口５５を見やすく、ハーネス４４，４５のコネクタ６１〜６４を接続する作業を容易に行うことができる。
【００４３】
ハーネス４４，４５は、クランプ７０によって筐体２の左壁部２１に保持される。故に天板３が筐体２に固定されるとき、筐体２と天板３の間にハーネス４４，４５が挟み込まれることがなく、また、筐体２内でハーネス４４，４５が他の部品に接触して摩耗等の不具合を生ずることもない。
【００４４】
クランプ７０は、第二環部７３の揺動端を第一環部７２の上端部先端に近づけ、係合部７２Ａ，７３Ａ同士を係合させるだけで、ハーネス４４，４５の太さよりも大きい環を形成することができる。故に作業者は、仮に天板３を片手で支持した状態であっても、もう一方の手でハーネス４４，４５を第一環部７２と第二環部７３の中に配置しつつ第一環部７２と第二環部７３を係合させて、ハーネス４４，４５をクランプ７０に保持させる作業を容易に行うことができる。
【００４５】
なお、本発明は上記実施形態に限定されるものではなく、種々の変更が可能である。コネクタ固定部５０の前面５０Ａは、前斜め上方を向いていなくてもよい。この場合、コネクタ固定部５０が筐体２の後壁部２４に固定された状態において、コネクタ５１〜５４の差込口５５が前斜め上方を向く角度となるように傾けた状態で、コネクタ固定部５０にコネクタ５１〜５４を固定してもよい。
【００４６】
筐体２のコネクタ５１〜５４は、４つに限らず、１〜３個でも、５個以上あってもよい。ハーネス４４，４５は、１本に束ねてもよいし、３本以上に分けてもよい。ハーネス４４，４５は、天板３の右側部３Ｒの前方から天板３の外部に引き出されてもよい。この場合、コネクタ固定部５０は後壁部２４の右端部に設ければよい。
【００４７】
クランプ７０は、正面視略矩形の環を形成したが、円形の環を形成しても多角形の環を形成してもよい。クランプ７０は２つに限らず、１つでも、３つ以上でもよい。また、クランプ７０の形態は、係合部７２Ａ，７３Ａの係合により環を形成する形態に限らない。
【００４８】
例えば、図６に示すクランプ１７０のように、正面視コの字形状で、２つの延伸部間にハーネス４４，４５を挟み込んで保持する形態であってもよい。クランプ１７０は、基部１７１、第一延伸部１７２、第二延伸部１７３、上下延伸部１７４を有する。基部１７１はクランプ１７０を隆起部２１Ａ，２１Ｂに固定する。上下延伸部１７４は上下方向に延び、中間部において基部１７１に接続する。第一延伸部１７２は上下延伸部１７４の上端から右方へ延びる。第二延伸部１７３は上下延伸部１７４の下端から第一延伸部１７２と平行に右方へ延びる。第一延伸部１７２と第二延伸部１７３は、ハーネス４４，４５の太さと略同じ大きさの間隙を有する。第一延伸部１７２と第二延伸部１７３は、それぞれの対向面に、第一突部１７２Ａと第二突部１７３Ａを有する。第一突部１７２Ａは、第二延伸部１７３へ向けて突出し、第一延伸部１７２に沿って並ぶ複数の突部である。第二突部１７３Ａは、第一延伸部１７２へ向けて突出し、第二延伸部１７３に沿って並ぶ複数の突部である。作業者は、片手でハーネス４４，４５を掴み、第一延伸部１７２と第二延伸部１７３の間にハーネス４４，４５を挿入することができる。クランプ１７０は、ハーネス４４，４５が挿入された場合に、第一突部１７２Ａと第二突部１７３Ａの間にハーネス４４，４５を挟むことで、ハーネス４４，４５を保持することができる。故に作業者は、仮に天板３を片手で支持した状態であっても、もう一方の手でハーネス４４，４５を容易にクランプ１７０に保持させる作業を行うことができる。
【００４９】
また、例えば、図７に示すクランプ２７０のように、つるまき状の環を有する形態であってもよい。クランプ２７０は、基部２７１と環状部２７２を有する。基部２７１はクランプ２７０を隆起部２１Ａ，２１Ｂに固定する。環状部２７２は前後方向を軸方向とする環を形成し、且つ、一端部２７２Ａと他端部２７２Ｂとが環の軸方向に離間するつるまき状を呈する。環状部２７２は、中間部において基部２７１に接続する。クランプ２７０は、ハーネス４４，４５を環状部２７２内に保持することができる。作業者は、片手でハーネス４４，４５を掴み、環状部２７２の一端部２７２Ａと他端部２７２Ｂの間を通して環状部２７２内にハーネス４４，４５を挿入することができる。故に作業者は、仮に天板３を片手で支持した状態であっても、もう一方の手でハーネス４４，４５を環状部２７２内に入れることができ、ハーネス４４，４５をクランプ２７０に保持させる作業を容易に行うことができる。
【００５０】
ところで、ハーネス４４，４５を接続する作業の間、作業者は、天板３の左側部３Ｌをキッチンカウンタ上に載置した状態で、天板３を片手で支持する。キッチンカウンタの傷つき防止を考慮すると、キッチンカウンタ上に布等を敷き、その上に、天板３を載置することが考えられる。しかし、布等がキッチンカウンタ上で滑ると、安定した天板３の支持が難しい。この場合、例えば図８に示すように、筐体２の開口部２Ａに天板３を掛け留めることができるフック３００を、天板３の裏面に設けてもよい。フック３００は上下方向に所定の長さを有する。天板３を筐体２の開口部２Ａに掛け留めたとき、天板３の左側部３Ｌは、キッチンカウンタの上面よりも高さＨ分上方に位置し、キッチンカウンタに接触しない。このように、フック３００は、天板３の左側部３Ｌを筐体２の上端よりも上方に配置した状態で天板３を支持することができる。故に作業者は、仮に天板３を片手で支持した状態で、もう一方の手でハーネス４４，４５を筐体２のコネクタ５１〜５４に接続する作業を行っても、コンロ１が設置されるキッチンカウンタを天板３の左側部３Ｌで傷つけることがない。なお、フック３００は、天板３の裏面に、例えば穴部を形成し、上部を穴部に差し込んで固定するとよい。或いは、フック３００は、ねじ等で、取り外し可能な状態で天板３の裏面に固定してもよい。また、フック３００は、使用時以外は折り畳むことで、天板３の裏面に常に固定した状態としてもよい。
【００５１】
上記説明において、左バーナ４，右バーナ５が本発明の「バーナ」の一例である。センサ２８，電装基板２９が本発明の「電装部品」の一例である。コンロ１が本発明の「加熱調理器」の一例である。後壁部２４が本発明の「背面」の一例である。クランプ７０，１７０，２７０が本発明の「保持部」の一例である。
【符号の説明】
【００５２】
１                                      コンロ
２                                      筐体
３                                      天板
３Ｌ                                    左側部
４                                      左バーナ
５                                      右バーナ
２１                                    左壁部
２４                                    後壁部
２７                                    制御基板
２８                                    センサ
２９                                    電装基板
４４，４５                              ハーネス
５０                                    コネクタ固定部
５１〜５４                              コネクタ
５５                                    差込口
７０，１７０，２７０                    クランプ
７１，１７１，２７１                    基部
７２                                    第一環部
７２Ａ，７３Ａ                          係合部
７３                                    第二環部
１７２                                  第一延伸部
１７２Ａ                                第一突部
１７３                                  第二延伸部
１７３Ａ                                第二突部
２７２                                  環状部
３００                                  フック
【図１】
2020197326.tif 000003
【図２】
2020197326.tif 000004
【図３】
2020197326.tif 000005
【図４】
2020197326.tif 000006
【図５】
2020197326.tif 000007
【図６】
2020197326.tif 000008
【図７】
2020197326.tif 000009
【図８】
2020197326.tif 000010